(57)【要約】【課題】肌への刺激を抑制しつつ、体液の排出状態を適切に検出する吸収性物品を提供する。【解決手段】  吸収性物品１は、スリット３１が形成された吸収体３と、インジケータ９とを有する。インジケータは、製品長手方向に延び、かつ製品長手方向に間隔を空けて複数設けられている。スリットが配置された領域には、吸収性物品の平面視においてインジケータと凹部が重なる第１領域Ｒ１と、製品長手方向において第１領域に隣接し、かつ吸収性物品の平面視においてインジケータと凹部が重ならない第２領域Ｒ２と、が設けられている。【選択図】図１
2015195828.tif 000002
【特許請求の範囲】
【請求項１】
製品長手方向及び当該製品長手方向に直交する製品幅方向と、肌対向面およびその反対側に位置する非肌対向面と、有し、
吸収性物品の厚み方向において凹んだ凹部が形成された吸収体と、
前記吸収体よりも肌対向面側に配置された液透過性の表面シートと、
前記吸収体よりも非肌対向面側に配置された液不透過性の裏面シートと、
前記裏面シートより肌対向面側に設けられ、水分と接触すると視覚的に変化するように構成されているインジケータと、を備える吸収性物品であって、
前記凹部は、前記製品長手方向に延び、かつ前記製品長手方向に間隔を空けて複数設けられており、
前記インジケータは、前記製品長手方向に延び、かつ前記製品長手方向に間隔を空けて複数設けられており、
前記凹部が配置された領域には、前記吸収性物品の平面視において前記インジケータと前記凹部が重なる第１領域と、前記製品長手方向において前記第１領域に隣接し、かつ前記吸収性物品の平面視において前記インジケータと前記凹部が重ならない第２領域と、が設けられている、吸収性物品。
【請求項２】
前記吸収性物品は、前ウエスト域、後ウエスト域、及び前記前ウエスト域と前記後ウエスト域の間に位置するクロッチ域を有し、
前記吸収体は、前記前ウエスト域、前記後ウエスト域、及び前記クロッチ域に跨がって配置されており、
前記前ウエスト域、前記後ウエスト域、及び前記クロッチ域には、それぞれ前記凹部及び前記インジケータが設けられている、請求項１に記載の吸収性物品。
【請求項３】
前記クロッチ域の凹部の前記製品長手方向の長さは、前記前ウエスト域の凹部の前記製品長手方向の長さよりも長く、かつ前記後ウエスト域の凹部の前記製品長手方向の長さよりも長い、請求項２に記載の吸収性物品。
【請求項４】
前記複数のインジケータ間の前記製品長手方向における間隔と、前記複数の凹部間の前記製品長手方向における間隔とは、異なり、
前記各インジケータの前記製品長手方向における長さと、前記各凹部の前記製品長手方向における長さとは、異なる、請求項１から請求項３のいずれかに記載の吸収性物品。
【請求項５】
前記インジケータは、前記製品長手方向に延びる複数のインジケータ構成群を有し、
前記複数のインジケータ構成群は、前記製品幅方向に間隔を空けて設けられており、
前記インジケータの前記製品幅方向の中心と前記凹部の前記製品幅方向の中心は、一致しており、
前記凹部の前記製品幅方向の長さは、前記インジケータ構成群の前記製品幅方向における間隔よりも長い、請求項１から請求項４のいずれかに記載の吸収性物品。
【請求項６】
前記インジケータの製品幅方向の中心及び前記凹部の製品幅方向の中心は、前記吸収性物品の前記製品幅方向の中心と一致する、請求項５に記載の吸収性物品。
【請求項７】
前記インジケータは、前記吸収体よりも前記製品長手方向外側に延出しており、
前記インジケータは、前記吸収性物品の前端縁と前記吸収性物品の後端縁のうち、少なくとも一方に設けられている、請求項１から請求項６のいずれかに記載の吸収性物品。
【発明の詳細な説明】
【技術分野】
【０００１】
本発明は、厚み方向において凹んだ凹部が形成された吸収体と、吸収体よりも非肌対向面側に設けられたインジケータと、を有する吸収性物品に関する。
【背景技術】
【０００２】
特許文献１には、凹部としてのポケットが形成された吸収体と、吸収体よりも非肌対向面側に設けられたインジケータと、を有する吸収性物品が開示されている。特許文献１のポケットは、吸収体の製品幅方向の中央部において製品長手方向に延び、かつ製品長手方向に連続して設けられている。また、特許文献１のインジケータは、ポケットの側端近傍において製品長手方向に延び、かつ製品長手方向に連続して設けられている（例えば、特許文献１の図６参照）。
【先行技術文献】
【特許文献】
【０００３】
【特許文献１】特開２０１０−７５４６４号公報
【発明の概要】
【発明が解決しようとする課題】
【０００４】
しかし、上述の吸収性物品は、以下の問題があった。
特許文献１の吸収性物品は、ポケットの長手方向全域に亘ってインジケータが設けられている。ポケットは、体液を製品長手方向に拡散させるように構成されており、尿等の大量の体液のみならず、汗等の少量の体液も拡散させる。よって、ポケットの長手方向全域に亘ってインジケータが設けられていると、汗等の少量の体液が排出された場合であっても、ポケットに重なるインジケータ全体が呈色反応を示すことがある。そのため、汗等の少量の体液が排出された場合に、着用補助者が、尿等の体液が大量に排出されたと誤認識するおそれがある。
【０００５】
また、特許文献１の吸収体のポケットは、吸収体を構成する吸収材料の目付が低い部分又は吸収材料が配置されていない部分である。そのため、ポケットとインジケータが重なる領域では、インジケータを構成するインクが着用者の肌に触れることがある。そのため、ポケットの長手方向全域に亘ってインジケータが設けられていると、インジケータを構成するインクが着用者の肌に過度に触れ、肌への刺激を与えるおそれがある。
【０００６】
そこで、本発明は、厚み方向において凹んだ凹部が形成された吸収体と、吸収体よりも非肌対向面側に設けられたインジケータと、を有する吸収性物品において、肌への刺激を抑制しつつ、体液の排出状態を適切に検出することを目的とする。
【課題を解決するための手段】
【０００７】
上述した課題を解決するため、本開示に係る吸収性物品（吸収性物品１）は、製品長手方向（製品長手方向Ｌ）及び当該製品長手方向に直交する製品幅方向（製品幅方向Ｗ）と、肌対向面およびその反対側に位置する非肌対向面と、有し、吸収性物品の厚み方向（厚み方向Ｔ）において凹んだ凹部（スリット３１）が形成された吸収体（吸収体３）と、前記吸収体よりも肌対向面側に配置された液透過性の表面シート（表面シート５）と、前記吸収体よりも非肌対向面側に配置された液不透過性の裏面シート（裏面シート６）と、前記裏面シートより肌対向面側に設けられ、水分と接触すると視覚的に変化するように構成されているインジケータ（インジケータ９）と、を備える吸収性物品であって、前記凹部は、前記製品長手方向に延び、かつ前記製品長手方向に間隔を空けて複数設けられており、前記インジケータは、前記製品長手方向に延び、かつ前記製品長手方向に間隔を空けて複数設けられており、前記凹部が配置された領域には、前記吸収性物品の平面視において前記インジケータと前記凹部が重なる第１領域（第１領域Ｒ１）と、前記製品長手方向において前記第１領域に隣接し、かつ前記吸収性物品の平面視において前記インジケータと前記凹部が重ならない第２領域（第２領域Ｒ２）と、が設けられていることを要旨とする。
【発明の効果】
【０００８】
厚み方向において凹んだ凹部が形成された吸収体と、吸収体よりも非肌対向面側に設けられたインジケータと、を有する吸収性物品において、肌への刺激を抑制しつつ、体液の排出状態を適切に検出することができる。
【図面の簡単な説明】
【０００９】
【図１】実施の形態に係る吸収性物品の平面図である。
【図２】実施の形態に係る吸収性物品の背面図である。
【図３】図１に示すＡ−Ａ断面図である。
【図４】図１に示すＢ−Ｂ断面図である。
【図５】図２に示すＣ部分の拡大図である。
【発明を実施するための形態】
【００１０】
以下において、本発明に係る吸収性物品について、図面を参照しながら説明する。具体的には、（１）吸収性物品の構成、（２）作用・効果、及び（３）その他の実施形態について説明する。
【００１１】
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１２】
（１）吸収性物品の構成
まず、本実施形態に係る吸収性物品１の構成について、図面を参照しながら説明する。図１は、本実施形態に係る吸収性物品１を示す平面図である。図２は、実施の形態に係る吸収性物品１の背面図である。図３は、図１に示すＡ−Ａ断面図である。図４は、図１に示すＢ−Ｂ断面図である。なお、図１に示す平面図及び図２に示す背面図は、吸収性物品に設けられる脚周り弾性部材等による皺が見えない状態まで表面シート等を伸長させた状態である。本実施形態では、吸収性物品１は、オープン型の使い捨ておむつである。
【００１３】
本実施形態において、オープン型のおむつとは、予めパンツ型に成形されたおむつではなく、使用前の状態において展開された状態になっており、製品の所定部分同士を止着部材などで留めることによって着用者に装着するおむつをいう。
【００１４】
吸収性物品１は、着用者の腹側と背側に延びる製品長手方向Ｌと、製品長手方向に直交する製品幅方向Ｗと、肌対向面およびその反対側に位置する非肌対向面に延びる厚み方向Ｔと、有する。
【００１５】
吸収性物品１は、着用者の前胴回りに対応する前ウエスト域Ｓ１と、着用者の後胴回りに対応する後ウエスト域Ｓ２と、着用者の股下に対応し、かつ前ウエスト域Ｓ１と後ウエスト域Ｓ２との間に位置するクロッチ域Ｓ３とを有する。
【００１６】
クロッチ域Ｓ３における吸収性物品の外側縁（幅方向外側端部）は、前ウエスト域における吸収性物品の外側縁よりも幅方向内側に凹み、かつ後ウエスト域における吸収性物品の外側縁よりも幅方向内側に凹んでいる。クロッチ域Ｓ３は、吸収性物品１の外側縁が幅方向内側に凹んだ領域である。クロッチ域Ｓ３の外側縁は、着用者の脚回りに沿って配置される一対の脚回り開口部４１を構成する。
【００１７】
吸収性物品１は、吸収体３と、サイドシート４と、表面シート５と、裏面シート６と、防漏弾性部材７と、脚周り弾性部材８と、インジケータ９と、サイドフラップ１０と、止着部材２０と、を少なくとも有する。
【００１８】
吸収体３は、表面シート５と裏面シート６との間に設けられる。吸収体３は、着用者の体液等の排泄物を吸収する。吸収体３は、繊維としての粉砕パルプや高吸収性ポリマーなどの吸収材料が積層された吸収性コア、及び吸収性コアを包むコアラップによって構成される。吸収体は、前ウエスト域Ｓ１、後ウエスト域Ｓ２、及びクロッチ域Ｓ３に跨がって配置されている。
【００１９】
吸収体３の吸収性コアには、厚み方向において凹んだ凹部としてのスリット３１が形成されている。スリット３１は、吸収材料が配置されていない部分又は、製造過程において周囲から吸収材料が僅かに流入している部分であるが、吸収材料を設計上配置する部分ではなく、実質的に吸収材料が配置されていない部分も含む概念である。
【００２０】
スリット３１は、周囲の吸収性コアと比較して厚みが薄く、厚み方向において凹んでいる。スリット３１は、製品長手方向Ｌに沿っており、製品長手方向Ｌに間隔を空けて３列配置され、かつ吸収性物品の製品幅方向Ｗに間隔を空けて３列配置されている。スリット３１は、吸収体の製品幅方向中央に位置する中央スリット３１１と、中央スリット３１１よりも幅方向両外側に位置する側部スリット３１２と、を有する。
【００２１】
中央スリット３１１は、前ウエスト域に配置された前中央スリット３１１Ｆと、後ウエスト域に配置された後中央スリット３１１Ｒと、クロッチ域に配置されたクロッチ中央スリット３１１Ｃと、を有する。側部スリット３１２は、前ウエスト域に配置された前側部スリット３１２Ｆと、後ウエスト域に配置された後側部スリット３１２Ｒと、クロッチ域に配置されたクロッチ側部スリット３１２Ｃと、を有する。
【００２２】
前中央スリット３１１Ｆ及び前側部スリット３１２Ｆは、前ウエスト域とクロッチ域に跨がって配置されている。クロッチ中央スリット３１１Ｃ及びクロッチ側部スリット３１２Ｃは、クロッチ域内に配置されている。後中央スリット３１１Ｒ及び後側部スリット３１２Ｒは、後ウエスト域内に配置されている。
【００２３】
前中央スリット３１１Ｆ及び前側部スリット３１２Ｆは、吸収体の前端縁よりも後方に位置し、後中央スリット３１１Ｒ及び後側部スリット３１２Ｒは、吸収体の後端縁よりも前方に位置する。
【００２４】
前中央スリット３１１Ｆの製品長手方向の長さは、前側部スリット３１２Ｆの製品長手方向の長さと同じであり、具体的には１００ｍｍである。後中央スリット３１１Ｒの製品長手方向の長さは、後側部スリット３１２Ｒの製品長手方向の長さと同じであり、具体的には１２５ｍｍである。クロッチ中央スリット３１１Ｃの製品長手方向の長さは、クロッチ側部スリット３１２Ｃの製品長手方向の長さと同じであり、具体的には１９８ｍｍである。クロッチ中央スリット３１１Ｃの製品長手方向の長さは、前中央スリット３１１Ｆの製品長手方向の長さよりも長く、かつ後中央スリット３１１Ｒの製品長手方向の長さよりも長い。
【００２５】
前中央スリット３１１Ｆとクロッチ中央スリット３１１Ｃの製品長手方向の間隔は、前側部スリット３１２Ｆとクロッチ側部スリット３１２Ｃの製品長手方向の間隔と同じであり、具体的には、４０ｍｍである。後中央スリット３１１Ｒとクロッチ中央スリット３１１Ｃの製品長手方向の間隔は、後側部スリット３１２Ｒとクロッチ側部スリット３１２Ｃの製品長手方向の間隔と同じであり、具体的には、４０ｍｍである。
【００２６】
中央スリット３１１の幅方向の長さは、側部スリット３１２の幅方向の長さよりも長い。具体的には、中央スリット３１１の幅方向の長さは、９ｍｍであり、側部スリット３１２の幅方向の長さは、８ｍｍである。
【００２７】
表面シート５は、吸収体３よりも肌対向面側に配置されており、吸収体３の肌対向面を覆っている。表面シート５は、少なくとも吸収体３の肌対向面側に配置されていればよい。変形例に係る吸収性物品として、吸収体３と表面シート５の間に体液を保持するＳＡＰシート等を配置してもよい。本実施の形態の表面シート５は、吸収体３の外側縁よりも幅方向内側に配置されている。表面シート５は、親水性不織布や織物、開口プラスチックフィルム、開口疎水性不織布などの液透過性のシートによって形成される。
【００２８】
サイドシート４は、吸収体３よりも肌対向面側に配置される。サイドシート４は、表面シート５の外側縁及び吸収体の外側縁を覆っており、表面シート５及び吸収体３よりも幅方向外側に延出している。サイドシート４は、吸収体３の肌対向面側に配置されていればよく、表面シート５に重ならないように配置されていてもよいし、吸収体３と重ならないように設けられていてもよい。サイドシート４は、親水性不織布や織物、開口プラスチックフィルム、開口疎水性不織布などの液透過性のシートによって形成されていてもよいし、液不透過性のシートによって形成されていてもよい。
【００２９】
サイドシート４の内側縁は、製品長手方向に沿った折り目を基点に折り畳まれている。この折り畳まれたサイドシート４の間に、防漏弾性部材７が接合されている。防漏弾性部材７は、少なくとも製品長手方向に伸縮する。サイドシート４及び防漏弾性部材７は、吸収体３よりも肌対向面側に位置する起立性の防漏カフを構成する。
【００３０】
裏面シート６は、吸収体３よりも非肌対向面側に配置されており、吸収体３の非肌対向面を覆っている。裏面シート６は、少なくとも吸収体３の非肌対向面側に配置されていればよい。変形例に係る吸収性物品として、吸収体３と裏面シート６の間に不織布シート等を配置してもよい。本実施の形態の裏面シート６は、防水フィルム（例えば、ポリエチレン）などで形成された液不透過性のフィルム（以下、バックフィルムという）によって構成されている。裏面シートの前ウエスト域Ｓ１には、止着部材が止着されるターゲット部６Ａが設けられている。
【００３１】
なお、本実施の形態の裏面シート６は、吸収性物品の外面に配置され、着用者の衣服に当接するシートであるが、裏面シートの非肌対向面側に不織布等からなる外装シートが設けられ、着用者の衣服に外装シートが当接するように構成されていてもよい。
【００３２】
脚周り弾性部材８は、少なくともクロッチ域Ｓ３において脚回り開口部４１に沿って配置される。脚周り弾性部材８は、長手方向に伸縮する。本実施の形態の脚周り弾性部材８は、幅方向に間隔を空けて３本ずつ配置されている。
【００３３】
サイドフラップ１０は、サイドシート４よりも幅方向外側に延出するシート材である。サイドフラップ１０は、サイドシート４と裏面シート６の間に接合されている。サイドフラップ１０は、例えば、不織布シートによって構成される。サイドフラップ１０は、後ウエスト域Ｓ２に配置されている。なお、本実施の形態のサイドフラップ１０は、後ウエスト域Ｓ２のみに設けられているが、後ウエスト域Ｓ２のみならず、前ウエスト域Ｓ１にも設けられていてもよい。
【００３４】
止着部材２０は、サイドフラップ１０の外側縁に接合されており、装着時にターゲット部６Ａに止着する。止着部材２０は、面ファスナーや粘着剤などによって形成される。本実施の形態の止着部材２０は、粘着剤によって構成されている。
【００３５】
裏面シート６の肌対向面側には、水分と接触すると視覚的に変化するように構成されているインジケータ９が設けられている。インジケータ９は、製品長手方向に延び、かつ製品長手方向に間隔を空けて複数設けられている。インジケータ９は、前ウエスト域Ｓ１、後ウエスト域Ｓ２、及びクロッチ域Ｓ３のそれぞれに設けられている。インジケータ９は、水分と接触すると視覚的に変化する変色剤によって構成されている。変色剤は、裏面シート６の肌対向面に塗布されている。
【００３６】
図５は、図２に示すＣ部分の拡大図である。図５に示すように、スリット３１としてのクロッチ中央スリット３１１Ｃ及びその周囲と重なる領域には、複数のインジケータ９が配置されている。クロッチ中央スリット３１１Ｃが配置された領域には、吸収性物品の平面視においてインジケータ９とクロッチ中央スリット３１１Ｃが重なる第１領域Ｒ１と、製品長手方向において第１領域Ｒ１に隣接し、かつ吸収性物品の平面視においてインジケータ９とクロッチ中央スリット３１１Ｃが重ならない第２領域Ｒ２と、が設けられている。
【００３７】
インジケータ９は、複数のインジケータ構成部９０を有する。インジケータ構成部９０は、平面視にて円形状である。複数のインジケータ構成部９０は、製品長手方向に並んで設けられ、かつ幅方向に間隔を空けて設けられている。
【００３８】
インジケータ構成部を２０個含む集合体として、インジケータ構成群９Ａが設けられている。１つのインジケータ９は、４個のインジケータ構成群を有する。インジケータ構成群９Ａは、製品長手方向に延び、製品幅方向に間隔を空けて設けられている。各インジケータ構成群９Ａは、２０個のインジケータ構成部９０を有する。各インジケータ構成群９Ａにおいてインジケータ構成部９０は、製品長手方向に１０個並び、かつ製品幅方向に２個並んでいる。
【００３９】
よって、１つのインジケータ９は、８０個のインジケータ構成部９０を含む。インジケータ構成部９０は、製品長手方向に２０個並び、かつ製品幅方向に４個並んでいる。
【００４０】
インジケータ構成部９０間の製品長手方向の間隔Ｄ１は、インジケータ構成部９０の製品幅方向の間隔Ｄ２よりも長い。具体的には、インジケータ構成部９０間の製品長手方向の間隔Ｄ１は、１．５ｍｍであり、インジケータ構成部９０間の製品幅方向の間隔Ｄ２は、１ｍｍである。また、インジケータ構成群９Ａ間の製品長手方向の間隔Ｄ３は、インジケータ構成群９Ａの製品幅方向の間隔Ｄ４と同じである。具体的には、インジケータ構成群９Ａ間の製品長手方向の間隔Ｄ３及びインジケータ構成群９Ａ間の製品幅方向の間隔Ｄ４は、４ｍｍである。
【００４１】
インジケータ９間の製品長手方向の間隔Ｄ５は、インジケータ９の製品長手方向の長さＬ９よりも短い。具体的には、インジケータ９間の製品長手方向の間隔Ｄ５は、２４ｍｍであり、インジケータ９の製品長手方向の長さＬ９は、５６ｍｍである。また、インジケータ構成群９Ａの製品長手方向の長さＬ９Ａは、２６ｍｍである。インジケータ構成部９０の直径は、１ｍｍである。
【００４２】
インジケータ９間の製品長手方向における間隔は、中央スリット間の製品長手方向における間隔と異なる。インジケータの製品長手方向における長さＬ９は、中央スリット３１１の製品長手方向における長さと異なる。中央スリット３１１の製品幅方向Ｗの長さは、インジケータ構成群９Ａの製品幅方向における間隔Ｄ４よりも長く、インジケータ９の製品幅方向の長さよりも短い。
【００４３】
インジケータ９の製品幅方向の中心と中央スリット３１１の製品幅方向の中心は、一致している。また、インジケータ９の製品幅方向の中心及び中央スリット３１１の製品幅方向の中心は、吸収性物品の製品幅方向の中心と一致する。なお、本実施の形態において、２つの部材の製品幅方向の中心が一致している構成とは、２つの部材の中心の製品幅方向の距離が３ｍｍ以内の構成を含む概念である。
【００４４】
また、インジケータ９は、吸収体３よりも製品長手方向外側に延出している。インジケータ９は、吸収性物品の前端縁に設けられ、かつ吸収性物品の後端縁に設けられている。なお、インジケータ９は、吸収性物品の前端縁と吸収性物品の後端縁のうち、少なくとも一方に設けられていることが好ましい。
【００４５】
（２）作用・効果
このように構成された吸収性物品は、着用者から体液が排出されると、吸収性コアが配置された部分で体液を保持するとともに、スリットを介して体液を前後方向に拡散する。スリットに体液が導かれることにより、スリットと重なって配置されたインジケータ９が呈色反応を示す。平面視にて中央スリット３１１が配置された領域には、第１領域Ｒ１と第２領域Ｒ２が製品長手方向に隣接して設けられている。すなわち、中央スリット３１１の製品長手方向の一部の領域には、インジケータ９が設けられていない。
【００４６】
例えば、汗等の少量の体液が排出された場合は、体液は、中央スリット３１１内で拡散するが、中央スリット３１１を超えて拡散しにくい。このような少ない体液が排出されると、中央スリット３１１が配置された領域内の第１領域Ｒ１のみが呈色反応を示し、第２領域Ｒ２では呈色反応を示さない。すなわち、中央スリット３１１が配置された領域の一部のみが呈色反応を示す。少ない体液が排出された場合には、中央スリット３１１全体に亘って呈色反応を示さないため、インジケータ９の過度の反応を抑制し、誤認識を抑制できる。
【００４７】
一方、尿等の大量の体液が排出された場合には、中央スリット３１１が配置された領域を超えて体液が拡散し、中央スリット３１１が配置された領域の一部のみならず、中央スリット３１１以外（吸収材料が配置された部分）でも呈色反応を示す。よって、着用補助者は、大量の体液が排出されたことを検出できる。
【００４８】
このように、中央スリット３１１の一部にインジケータ９が重なることにより、少量の体液が排出された場合と、大量の体液が排出された場合との差が明確になり、体液の排出状態を適切に検出し易くなる。よって、使用者が排出した体液の量を大凡把握することができる。特に、忙しいときや夜間等の交換が難しい場合、吸収性物品を使用し続けることができるのか、または吸収性物品を交換しないと外漏れしてしまうのか等、介護者等の装着補助者が容易に交換を判断でき、育児や介護の負担を軽減できる。
【００４９】
また、中央スリット３１１が長手方向に間隔を空けて複数配置されているため、複数の中央スリット３１１によって体液が段階的に拡散する。インジケータ９は、体液の拡散に伴って段階的に呈色反応を示す。よって、体液の排出状態を適切に検出し易くなる。
【００５０】
また、中央スリット３１１の製品長手方向の一部の領域には、インジケータ９が設けられていないため、スリット全体が肌に密着した場合であっても、インジケータ９を構成するインクの肌への刺激を抑制できる。加えて、吸収体には、スリットが形成された部分とスリットが形成されていない部分（吸収材料が配置された部分）との間で剛性差が生じる。そのため、着用時に着用者の脚によって挟まれた際等に、剛性差が生じる部分が折れ基点となる。よって、吸収性物品を身体によりフィットでき、装着時のごわつきや不快感を低減させることができる。
【００５１】
また、前ウエスト域、後ウエスト域、及びクロッチ域には、それぞれ中央スリット３１１及びインジケータ９が設けられている。各域に体液が導かれると、前ウエスト域に配置されたインジケータ９、後ウエスト域に配置されたインジケータ９、及びクロッチ域に配置されたインジケータ９がそれぞれ反応するため、体液の吸収状態や吸収量を容易に把握することができる。
【００５２】
クロッチ域のスリット３１の製品長手方向の長さは、前ウエスト域のスリット３１の製品長手方向の長さよりも長く、かつ後ウエスト域のスリット３１の製品長手方向の長さよりも長い。クロッチ域は、着用者の排泄口に当接する部分である。当該クロッチ域に配置されたスリット３１の製品長手方向の長さが、前ウエスト域に配置されたスリット３１の長さ等よりも長いため、着用者から大量の体液が排出された場合であっても、体液を吸収体の前後に導き、吸収体全体で体液を吸収できる。また、少量の体液が排出された場合であっても、スリット３１を介して体液を吸収体の前後に導くことができる。よって、繰り返し少量の体液が排出された場合であっても、吸収体全体で体液を吸収できる。
【００５３】
複数のインジケータ９間の製品長手方向における間隔と複数の中央スリット３１１間の製品長手方向における間隔とが異なり、各インジケータ９の製品長手方向における長さと各中央スリット３１１の製品長手方向における長さとが異なるため、インジケータ９と中央スリット３１１とが製品長手方向で一致して配置されず、中央スリット３１１内に第１領域Ｒ１と第２領域Ｒ２を設けることができる。
【００５４】
インジケータ９の製品幅方向の中心が中央スリット３１１の製品幅方向の中心と一致し、複数のインジケータ構成群９Ａの間隔が中央スリット３１１の幅よりも狭いため、中央スリット３１１とインジケータ構成群９Ａが製品幅方向Ｗにおいて重なる領域を設けることができる。
【００５５】
インジケータ９の製品幅方向の中心及び中央スリット３１１の製品幅方向の中心が、吸収性物品の製品幅方向の中心と一致するため、インジケータ９及び中央スリット３１１が目印となり、吸収性物品の製品幅方向の中心を容易に把握することができる。着用時に、着用者の身体の中心に吸収性物品の中心を合わせやすくなる。
【００５６】
吸収性物品の前端縁及び吸収性物品の後端縁のうち、少なくとも一方にインジケータ９が配置されているため、吸収体を超えた領域で排出された汗等の体液を検出することができる。
【００５７】
（３）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。 
【００５８】
次いで、変形例に係る吸収性物品について説明する。なお、以下の変形例の説明においては、上述の実施の形態と異なる構成のみ説明し、実施の形態と同様の構成については、説明を省略する。
【００５９】
変形例に係る吸収性物品は、吸収体が配置された領域のみにインジケータ９が設けられていてもよい。すなわち、インジケータ９は、吸収体よりも製品長手方向Ｌ外側に配置されていなくてもよい。当該構成に係る吸収性物品によっても、吸収体に排出された体液の排出状態を適切に検出できる。
【００６０】
変形例に係る吸収性物品は、インジケータ９が、中央スリット３１１に重なる領域のみならず、側部スリット３１２に重なる領域のみに配置されていてもよい。例えば、吸収性物品としての使い捨ておむつと尿取りパッドを併用で使用する場合、体液が排出された際に中央スリットに体液が導かれないことがあり、中央スリットに重なるインジケータ９が反応しないことがある。しかし、当該構成に係る吸収性物品によれば、使用者が横を向いて寝た状態等で、パッドよりも幅方向外側に体液が導かれることにより、側部スリット３１２に重なって配置されたインジケータが反応する。側部スリット３１２に重なって配置されたインジケータが反応することにより、パッド内で体液を保持できるタイミングを介護者等が把握できる。特に在宅介護において、パッドの交換タイミングを知ることができる。
【００６１】
変形例に係る吸収性物品は、比較的漏れが生じ易い後側部スリット３１２Ｒにインジケータ９が配置されていてもよい。吸収性物品としての使い捨ておむつと尿取りパッドを併用で使用する場合には、吸収体の中央部分が濡れにくく、吸収体の後端縁が濡れやすく、特に、吸収体の側縁近くの後端縁が濡れやすい。当該漏れやすい部分に、インジケータを設けることにより、より適した交換タイミングを把握できる。なお、男性用等、前漏れし易い場合には、吸収体３の前端縁側のスリットに重なるようにインジケータ９を設けてもよい。
【００６２】
変形例に係る吸収性物品は、クロッチ域に配置されたスリット（クロッチ中央スリット及びクロッチ側部スリット）の製品長手方向Ｌの長さよりも、前ウエスト域に配置されたスリット（前中央スリット及び前側部スリット）の製品長手方向Ｌの長さが長く、かつ後ウエスト域に配置されたスリット（後中央スリット及び後側部スリット）の製品長手方向Ｌの長さが長くてもよい。
【００６３】
スリットの製品長手方向Ｌの長さが長いことにより、少量の尿であっても拡散する。特に、前ウエスト域に配置されたスリットの製品長手方向Ｌの長さ、及び後ウエスト域に配置されたスリットの製品長手方向Ｌの長さが比較的長いことにより、少ない体液であっても吸収体３の製品長手方向Ｌの端部まで体液が拡散し、インジケータが反応する。外漏れする前に吸収性物品の交換を促すことができる。
【００６４】
変形例に係る吸収性物品は、前ウエスト域に配置されたインジケータのパターンと、後ウエスト域に配置されたインジケータ９のパターンが異なっていてもよい。当該パターンとは、インジケータの数や長さ、面積である。介護者等の装着補助者が吸収性物品を交換する際に、インジケータのパターンによって吸収性物品の前後を把握することができ、交換作業が容易となる。
【００６５】
また、変形例に係る吸収性物品は、凹部としての低目付部が吸収体に設けられていてもよい。低目付部は、周囲の吸収性コアよりも吸収材料の目付が低い部分である。吸収材料の目付が低いため、周囲の吸収性コアよりも厚み方向に凹んでいる。
【符号の説明】
【００６６】
１        ：吸収性物品
３        ：吸収体
４        ：サイドシート
５        ：表面シート
６        ：裏面シート
６Ａ      ：ターゲット部
７        ：防漏弾性部材
８        ：脚周り弾性部材
９        ：インジケータ
９Ａ      ：インジケータ構成群
９０      ：インジケータ構成部
１０      ：サイドフラップ
２０      ：止着部材
３１      ：スリット
３１１    ：中央スリット
３１１Ｃ  ：クロッチ中央スリット
３１１Ｆ  ：前中央スリット
３１１Ｒ  ：後中央スリット
３１２    ：側部スリット
３１２Ｃ  ：クロッチ側部スリット
３１２Ｆ  ：前側部スリット
３１２Ｒ  ：後側部スリット
４１      ：脚回り開口部
Ｌ        ：製品長手方向
Ｒ１      ：第１領域
Ｒ２      ：第２領域
Ｓ１      ：前ウエスト域
Ｓ２      ：後ウエスト域
Ｓ３      ：クロッチ域
Ｔ        ：厚み方向
Ｗ        ：製品幅方向
【図１】
2015195828.tif 000003
【図２】
2015195828.tif 000004
【図３】
2015195828.tif 000005
【図４】
2015195828.tif 000006
【図５】
2015195828.tif 000007